(57)【特許請求の範囲】
【請求項１】
映像表示可能な映像表示領域を持つ表示パネルと、
前記表示パネルの背面に配置され、透明な部材で形成され、かつ、第１の入射面及び第２の入射面を有する導光板と、
前記第１の入射面と対向するように配置される第１の光源と、
前記第２の入射面と対向するように配置される第２の光源と、
前記第１の光源及び前記第２の光源の点灯及び消灯と、前記表示パネルに表示する映像を制御する制御部と、
を有し、
前記導光板は、
前記表示パネルと対向する出射面と、
前記第１の光源から発して前記第１の入射面から前記導光板内に入射した光により前記表示パネルの前記映像表示領域全体が照明されるように、前記出射面と反対側の面の前記映像表示領域に応じた領域内に配列された、前記第１の光源から発して前記第１の入射面から前記導光板内に入射した光を前記出射面へ向けて反射する複数の第１のプリズムと、
前記第２の光源から発して前記第２の入射面から前記導光板内に入射した光による第１のパターンを前記表示パネルの前記映像表示領域に重畳するように、前記出射面と反対側の面において前記第１のパターンに沿って配列され、前記第２の光源から発して前記第２の入射面から前記導光板内に入射した光を前記出射面へ向けて反射する複数の第２のプリズムと、
を有する表示装置。
【請求項２】
前記導光板の背面側に配置され、前記導光板及び前記表示パネルを通して視認可能な映像を表示する第２の表示パネルをさらに有し、
前記制御部は、前記第２の表示パネルに表示する映像を制御する、請求項１に記載の表示装置。
【請求項３】
前記導光板の前記第１の入射面及び前記第２の入射面と異なる第３の入射面と対向するように配置される第３の光源をさらに有し、
前記導光板は、前記第３の光源から発して前記第３の入射面から前記導光板内に入射した光による、前記第１のパターンと異なる第２のパターンを前記表示パネルの前記映像表示領域に重畳するように、前記出射面と反対側の面において前記第２のパターンに沿って配列され、前記第３の光源から発して前記第３の入射面から前記導光板内に入射した光を前記出射面へ向けて反射する複数の第３のプリズムをさらに有し、
前記制御部は、前記第３の光源の点灯及び消灯を制御する、請求項１または２に記載の表示装置。
【請求項４】
遊技機本体と、
前記遊技機本体の遊技者と対向する側の面に設けられた請求項１〜３の何れか一項に記載の表示装置と、
を有する遊技機。
【発明の詳細な説明】
【技術分野】
【０００１】
本発明は、映像にパターンを重畳して表示可能な表示装置、及びそのような表示装置を有する遊技機に関する。
【背景技術】
【０００２】
従来より、演出効果を高めるために、層状に形成された複数の表示領域を持ち、その複数の表示領域の何れかに表示された文字、パターンまたは模様を切り替えて表示可能な表示装置が提案されている（例えば、特許文献１を参照）。
【０００３】
例えば、特許文献１に開示された装飾表示装置は、光を拡散する模様を導光板に付した第１表示プレート及び第２表示プレートと、第１表示プレート及び第２表示プレートを着脱可能に支持する受け部材と、受け部材に装着された第１表示プレートの端面に光を照射する第１光源部及び第２表示プレートの端面に光を照射する第２光源部と、第１光源部及び第２光源部の点灯パターンを制御する制御部とを有する。そして第１表示プレートは第２表示プレートの前面側に位置し、第１表示プレート及び第２表示プレートの一部または全部が重なり合って所定の模様が形成される。
【先行技術文献】
【特許文献】
【０００４】
【特許文献１】特開２００７−９７７９９号公報
【発明の概要】
【発明が解決しようとする課題】
【０００５】
しかしながら、特許文献１に開示された装飾表示装置は、二つの表示プレートに予め設けられたパターンの組み合わせの範囲内でしか、表示する模様を変えることはできない。そのため、より演出効果が高い表示装置が求められている。
【０００６】
そこで、本発明は、可変な映像を他のパターンと重ね合わせて表示するか否かを切り替え可能な表示装置を提供することを目的とする。
【課題を解決するための手段】
【０００７】
本発明の一つの形態として、表示装置が提供される。この表示装置は、映像表示可能な映像表示領域を持つ表示パネルと、液晶パネルの背面に配置され、透明な部材で形成され、第１の入射面及び第２の入射面を有する導光板と、第１の入射面と対向するように配置される第１の光源と、第２の入射面と対向するように配置される第２の光源と、第１の光源及び第２の光源の点灯及び消灯と、液晶パネルに表示する映像とを制御する制御部とを有する。そして導光板は、液晶パネルと対向する出射面と、第１の光源から発して第１の入射面から導光板内に入射した光により液晶パネルの映像表示領域全体が照明されるように、出射面と反対側の面に形成された、第１の光源から発して第１の入射面から導光板内に入射した光を出射面へ向けて反射する複数の第１のプリズムと、第１の光源から発して第１の入射面から導光板内に入射した光により液晶パネルの映像表示領域に第１のパターンを重畳するように、出射面と反対側の面に形成された、第１のパターンに沿って配列され、第２の光源から発して第２の入射面から導光板内に入射した光を出射面へ向けて反射する複数の第２のプリズムとを有する。
【０００８】
この表示装置は、導光板の背面側に配置され、導光板及び表示パネルを通して視認可能な映像を表示する第２の表示パネルをさらに有することが好ましい。そして制御部は、第２の表示パネルに表示する映像を制御することが好ましい。
【０００９】
またこの表示装置は、導光板の第３の入射面と対向するように配置される第３の光源をさらに有し、導光板は、第３の光源から発して第３の入射面から導光板内に入射した光により液晶パネルの映像表示領域に第１のパターンと異なる第２のパターンを重畳するように、出射面と反対側の面に形成された、第２のパターンに沿って配列され、第３の光源から発して第３の入射面から導光板内に入射した光を出射面へ向けて反射する複数の第３のプリズムをさらに有することが好ましい。そして制御部は、第３の光源の点灯及び消灯をさらに制御することが好ましい。
【００１０】
本発明の他の形態によれば、遊技機が提供される。この遊技機は、遊技機本体と、遊技機本体の遊技者と対向する側の面に設けられた表示装置とを有する。そして表示装置は、上記の何れかの表示装置である。
【発明の効果】
【００１１】
本発明に係る表示装置は、可変な映像を他のパターンと重ね合わせて表示するか否かを切り替えることができるという効果を奏する。
【図面の簡単な説明】
【００１２】
【図１】本発明の一つの実施形態に係る表示装置の概略構成図である。
【図２】導光板の概略正面図である。
【図３】図２の矢印ＡＡ’で示される線における、導光板の概略側面断面図である。
【図４】（ａ）〜（ｃ）は、それぞれ、第１の液晶パネル及び第２の液晶パネルの映像の表示の有無と第１の光源及び第２の光源の点灯／消灯の組み合わせと観察者が視認できる表示内容との関係の一例を示す図である。
【図５】変形例による導光板の概略正面図である。
【図６】図５のＢＢ’に示される線における、導光板の概略側面断面図である。
【図７】（ａ）は、第１のプリズムとしてのみ機能するプリズムの側面図であり、（ｂ）は、第１のプリズムと第２のプリズムの両方として機能するプリズムの側面図である。
【図８】他の変形例による、導光板と各光源の配置を示す、導光板の概略正面図である。
【図９】上記の実施形態または変形例による表示装置を有する弾球遊技機を遊技者側から見た、その弾球遊技機の概略斜視図である。
【発明を実施するための形態】
【００１３】
以下、本発明の実施形態による表示装置を、図を参照しつつ説明する。この表示装置は、映像を表示可能な表示パネルの背面側に、複数の光源のうちの点灯する光源に応じて全面照明するかあるいはパターン状の光を照明するかを切り替える導光板を有することで、映像そのもの、または映像とパターンが重畳されたものを観察者に視認できるようにする。さらにこの表示装置は、各光源を消灯することで、導光板よりもさらに背面側に配置された第２の表示パネルに表示された映像を、観察者が導光板及び表示パネルを通して視認できるようにする。
なお、以下では、説明の便宜上、表示装置のうちの観察者と対向する側を正面とし、その反対側を背面とする。
【００１４】
図１は、本発明の一つの実施形態に係る表示装置の概略構成図である。表示装置１は、第１の液晶パネル２と、導光板３と、第１の光源４と、第２の光源５と、第２の液晶パネル６と、制御部７とを有する。そして正面側から背面側へ向けて、第１の液晶パネル２、導光板３、第２の液晶パネル６の順に配置される。また、第１の光源４及び第２の光源５は、それぞれ、導光板３の互いに異なる側壁に設けられた入射面と対向するように配置される。
【００１５】
第１の液晶パネル２は、表示パネルの一例であり、映像を表示可能な表示領域を有し、制御部７からの映像信号に応じた映像をその表示領域に表示する。例えば、第１の液晶パネル２は、液晶分子が封入された液晶層と、液晶層を挟んで対向するように配置される、ＩＴＯなどで形成された２枚の透明電極と、液晶層及び透明電極を挟んで対向するように配置される、ガラスまたは透明樹脂といった透明な２枚の透明基板と、液晶層、透明電極及び透明基板を挟んで対向するように配置される２枚の偏光板を有する。さらに、液晶層と透明電極の間に、液晶分子の配向方向を規定するための配向膜が形成されてもよい。また透明電極のうちの一方は、映像信号に応じて画素単位で印加する電圧を調整可能なように、マトリクス状に形成される。さらに、第１の液晶パネル２がカラーの映像を表示できるようにするために、一方の透明電極と透明基板との間に、画素単位の所定のパターンで配置されたカラーフィルタが設けられてもよい。
【００１６】
２枚の配向膜は、例えば、液晶層内の液晶分子を所定方向に配向させる。例えば、液晶層に含まれる液晶分子がツイストネマティック型に配列される場合、２枚の配向膜は、配向方向が互いに直交するように配置される。また、２枚の偏光板は、それぞれ、特定方向の偏光面を持つ偏光成分を透過させる素子であり、例えば、液晶パネル２がノーマリー・ホワイト・モードで動作するように、その透過軸が互いに直交するように配置される。この場合、液晶層を挟む２枚の透明電極間に電場が印加されなければ、すなわち、映像信号が入力されなければ、背面側に配置された偏光板を透過した光の偏光方向は、液晶層にて90°回転するので、その光は、正面側に配置された偏光板を透過できる。そのため、第１の液晶パネル２は透明となる。一方、液晶層を挟む２枚の透明電極間に、映像信号に応じた電場が印加されると、液晶層内の液晶分子の向きが電場の方向と平行な方向に近づくようになるので、電場の強度に応じて液晶層を透過する光の偏光面の回転角は減少する。そのため、映像信号による電圧が高くなるほど、すなわち、表示する映像が白に近いほど、背面側に配置された偏光板を透過した光のうち、正面側に配置された偏光板を透過できる光の量が減少するので、第１の液晶パネル２は不透明に近づく。
【００１７】
なお、各偏光板は、第１の液晶パネル２がノーマリー・ブラック・モードで動作するように、その透過軸が互いに平行となるように配置されてもよい。この場合には、液晶層を挟む２枚の透明電極間に電場が印加されると、第１の液晶パネル２は透明となり、逆に、液晶層を挟む２枚の透明電極間に電場が印加されなければ、第１の液晶パネル２は不透明となる。
【００１８】
また、第１の液晶パネル２は、上記の液晶パネルに限られず、制御部７からの映像信号に応じた映像を表示可能であり、かつ、印加される電圧に応じて透明度が変化する表示パネルであればよい。
【００１９】
導光板３は、第１の光源４からの光、または、第２の光源５からの光で第１の液晶パネル２をその背面側から照明する。さらに、導光板３は、導光板３の背面側に配置された第２の液晶パネル６により表示された映像に応じた光を液晶パネル２側へ透過させる。そのために、導光板３は、第１の液晶パネル２の表示領域よりも大きい面積を持つシート状の部材であり、第１の液晶パネル２の背面と対向するように配置される。また導光板３は、例えば、ポリメチルメタクリレート（ＰＭＭＡ）、ポリカーボネート、シクロオレフィンポリマーといった、可視光に対して透明な樹脂を成型することで形成される。
【００２０】
図２は、導光板３の概略正面図である。また図３は、図２の矢印ＡＡ’で示される線における、導光板３の概略側面断面図である。図２及び図３に示されるように、導光板３の側壁の一面に、第１の光源４と対向する入射面３ａが形成される。また、入射面３ａと直交する側壁の一面に、第２の光源５と対向する入射面３ｂが形成される。なお、入射面３ｂは、第２の光源５から入射する光の指向性を高めるようコリメートレンズとして動作するように、第２の光源５へ向けて凸面状に形成されてもよい。
【００２１】
導光板３の背面側に位置する拡散面３ｃのうち、正面から見て第１の液晶パネル２の表示領域と重なる領域内に、複数の第１のプリズム３１が所定のピッチで格子状に配置されている。なお、複数の第１のプリズム３１は、所定のピッチで千鳥足状に配置されてもよい。複数の第１のプリズム３１は、入射面３ａから入射した、第１の光源４からの光により第１の液晶パネル２の表示領域全体が均一に照明されるように、その光を反射して、拡散面３ｃの反対側に位置し、かつ、第１の液晶パネル２の背面と対向する出射面３ｄに対して略垂直に出射させる。
【００２２】
また、拡散面３ｃには、パターン３３に沿って複数の第２のプリズム３２が所定のピッチで千鳥足状に形成されている。なお、複数の第２のプリズム３２は、所定のピッチで格子状に配置されてもよい。複数の第２のプリズム３２は、入射面３ｂから入射した、第２の光源５からの光によってそのパターン３３が第１の液晶パネル２の表示領域に表示される映像に重畳されるように、その光を反射して、出射面３ｄに対して略垂直に出射させる。なお、パターン３３は、パターン３３内に複数の第２のプリズム３２を配置可能な任意のパターンとすることができる。
なお、図２及び図３において、図の見易さの向上のために、第１のプリズム３１及び第２のプリズム３２のサイズ及び導光板３の厚さは誇張されている点に留意されたい。
【００２３】
複数の第１のプリズム３１のそれぞれは、例えば、拡散面３ｃにおいて所定の長さを持つ略三角形状の溝として形成される。そして複数の第１のプリズム３１のそれぞれは、拡散面３ｃに対して所定の角度をなし、かつ、第１の光源４と対向するように向けられた反射面３１ａを有する。同様に、複数の第２のプリズム３２のそれぞれは、例えば、拡散面３ｃにおいて所定の長さを持つ略三角形状の溝として形成される。そして複数の第２のプリズム３２のそれぞれは、拡散面３ｃに対して所定の角度をなし、かつ、第２の光源５と対向するように向けられた反射面３２ａを有する。本実施形態では、第１の光源４と第２の光源５とは、それぞれ、互いに直交する入射面３ａ、３ｂと対向するように配置されているので、第１の光源４の発光面と第２の光源５の発光面も互いに直交している。したがって、反射面３１ａと反射面３２ａも、拡散面３ｃと平行な面において互いに直交している。なお、所定の角度は、導光板３へ入射した第１の光源４または第２の光源５からの光を全反射させて、出射面３ｄへ向ける角度、例えば、拡散面３ｃに対して４０°〜５０°をなすように設定される。また所定の長さは、例えば、100μm〜数mm程度に設定される。
【００２４】
上記のように、第１の光源４からの光は入射面３ａから導光板３の内部に入射する。そして導光板３の内部を伝搬した光は、拡散面３ｃに形成された複数の第１のプリズム３１のそれぞれにて全反射された後、出射面３ｄから出射する。したがって、第１の光源４が点灯している間、第１の液晶パネル２の表示領域全体が第１の光源４からの光により照明されるので、観察者は、第１の液晶パネル２に表示された映像全体を観察できる。
【００２５】
一方、第２の光源５からの光は入射面３ｂから導光板３の内部に入射する。そして導光板３の内部を伝搬した光は、拡散面３ｃに形成された複数の第２のプリズム３２にて全反射された後、出射面３ｄから出射する。複数の第２のプリズム３２は、パターン３３に沿って配列されているので、観察者は、第２の光源５が点灯している間、第１の液晶パネル２の表示領域において発光して見えるパターン３３を観察できる。また、第１の液晶パネル２のうち、パターン３３からの光が達する部分だけが照明されるので、第１の液晶パネル２に映像が表示されている場合には、観察者は、その映像のうち、パターン３３と重なった部分を視認できる。
【００２６】
さらに、拡散面３ｃの面積に占める、プリズム３１及びプリズム３２が形成された領域の面積の比である配置密度は、液晶パネル２が透明状態となり、かつ、第１の光源４及び第２の光源５が消灯しているときに、観察者が、導光板３の背後にある第２の液晶パネル６に表示された映像を、透明な部材を介して、あるいは、何もない空間を介して視認していると感じられる配置密度の上限以下となることが好ましい。そこで、例えば、配置密度が30.0％以下となるように各プリズム３１及び３２は形成されることが好ましい。
【００２７】
あるいは、導光板３について、全透過光に対する拡散光の割合を表すヘイズ値が、液晶パネル２が透明状態となったときに、観察者が、導光板３の背後にある第２の液晶パネル６に表示された映像を、透明な部材を介して、あるいは、何もない空間を介して視認していると感じられるヘイズ値の上限以下となることが好ましい。例えば、ヘイズ値が28％以下となるように各プリズム３１及び３２は形成されることが好ましい。
【００２８】
第１の光源４は、例えば、白色発光ダイオードまたは蛍光灯といった発光素子を有し、その発光面が導光板３の入射面３ａと対向するように配置される。例えば、第１の光源４は、その発光強度が最も強い方向が入射面３ａに対して直交するように配置される。なお、第１の光源４は、複数の発光素子を有してもよい。この場合、複数の発光素子は、例えば、入射面３ａの長手方向に沿って、第１の液晶パネル２の表示領域の幅と略等しい範囲にわたって一列に並べて配置される。そして第１の光源４は、制御部７からの制御信号に応じて点灯または消灯する。
【００２９】
第２の光源５は、例えば、白色発光ダイオードまたは蛍光灯といった発光素子を有し、その発光面が導光板３の入射面３ｂと対向するように配置される。例えば、第２の光源５は、その発光強度が最も強い方向が入射面３ｂに対して直交するように配置される。なお、第２の光源５も、第１の光源４と同様に、複数の発光素子を有してもよい。この場合、複数の発光素子は、例えば、入射面３ｂの長手方向に沿って、入射面３ｂ側から見たパターン３３の幅と略等しい範囲にわたって一列に並べて配置される。そして第２の光源５は、制御部７からの制御信号に応じて点灯または消灯する。
【００３０】
第２の液晶パネル６は、第２の表示パネルの一例であり、導光板３の背面側に、導光板３の拡散面３ｃと表示面とが対向するように配置される。そして第２の液晶パネル６は、制御部７からの映像信号に応じた映像を表示する。なお、第２の液晶パネル６は、制御部７からの映像信号に応じた映像を表示可能な様々なバックライト型液晶パネルの何れかとすることができる。
【００３１】
制御部７は、例えば、プロセッサと、メモリ回路と、第１の液晶パネル２の駆動回路と、第２の液晶パネル６の駆動回路とを有する。そして制御部７は、上位の制御装置（図示せず）からの制御信号に応じて、第１の液晶パネル２及び第２の液晶パネル６に対する映像の表示の有無、及び、表示する映像を制御する。また、制御部７は、第１の光源４及び第２の光源５の点灯／消灯の切替、あるいは、第１の光源４及び第２の光源５を点灯させる際の発光光量を調節する。例えば、制御部７は、第１の光源４及び第２の光源５の発光光量を、パルス幅変調方式に従って調節する。
制御部７は、第１の液晶パネル２に表示させる映像、第２の液晶パネル６に表示させる映像、第１の光源４及び第２の光源５の点灯／消灯を制御することで、観察者が視認できる映像及びパターンの組み合わせを様々に切り替えることができる。
【００３２】
図４（ａ）〜図４（ｃ）は、それぞれ、第１の液晶パネル２及び第２の液晶パネル６の映像の表示の有無と第１の光源４及び第２の光源５の点灯／消灯の組み合わせと観察者が視認できる表示内容との関係の一例を示す図である。
【００３３】
図４（ａ）に示される例では、第１の液晶パネル２に映像が表示され、かつ、第１の光源４が点灯されている。一方、第２の光源５は消灯されている。なお、第２の液晶パネル６には、映像が表示されていてもよく、あるいは、映像が表示されていなくてもよい。
この場合には、第１の光源４からの光によって第１の液晶パネル２の表示領域全体が照明されているので、観察者は、第１の液晶パネル２に表示された映像４０１を視認できる。なお、第２の液晶パネル６に表示された映像は、第１の光源４の発光光量、及び、第１の液晶パネル２に表示される映像に応じた透過率によって見易さが変化する。すなわち、第１の光源４の発光光量が大きいほど、あるいは、第１の液晶パネル２の透過率が低くなるほど、第２の液晶パネル６に表示された映像は視認し難くなる。
【００３４】
図４（ｂ）に示される例では、第１の液晶パネル２には映像が表示されず、透明状態となっている。そして第１の光源４が消灯され、一方、第２の光源５は点灯されている。なお、第２の液晶パネル６には、映像が表示されていてもよく、あるいは、映像が表示されていなくてもよい。
この場合には、第２の光源５からの光により、導光板３に設けられたパターン３３が観察者にとって視認可能となる。さらに、第２の液晶パネル６に映像４０２が表示されている場合には、観察者は、パターン３３が重ね合わせられた映像４０２を視認できる。
【００３５】
図４（ｃ）に示される例では、第１の液晶パネル２に映像が表示されている。そして第１の光源４が消灯され、一方、第２の光源５は点灯されている。なお、第２の液晶パネル６には、映像が表示されていてもよく、あるいは、映像が表示されていなくてもよい。
この場合には、第１の液晶パネル２の表示領域は、パターン３３に応じた光、または、第２の液晶パネル６の表示映像により照明されているので、観察者は、第１の液晶パネル２に表示された映像４０３を視認できる。さらに、第２の光源５からの光によって、導光板３に設けられたパターン３３も観察者にとって視認可能となる。したがって、観察者は、パターン３３が重ね合わせられた映像４０３を視認できる。さらに、第２の液晶パネル６にも映像４０４が表示され、かつ、映像４０３に応じた第１の液晶パネル２の透過率が、観察者が映像４０４を視認できる程度である場合には、観察者は、パターン３３と、二つの映像４０３、４０４とが重ね合わせられた映像を視認できる。
【００３６】
以上に説明してきたように、この表示装置は、発光させる光源を切り替えることで、観察者が視認できる表示内容を、液晶パネルに表示される映像そのものと、導光板に形成されたパターンと、液晶パネルに表示される映像に導光板に形成されたパターンを重ね合わせたものとの間で切り替えることができる。そのため、この表示装置は、多様な表示が可能となり、演出効果を高めることができる。
【００３７】
なお、変形例によれば、第１の光源４と第２の光源５とは、導光板３を挟んで互いに対向するように配置されてもよい。
【００３８】
図５は、この変形例による導光板３００の概略正面図である。図６は、図５のＢＢ’に示される線における、導光板３００の概略側面断面図である。導光板３００は、図２及び図３に示された導光板３と比較して、第２の光源５に対する入射面３ｂの位置と、第２の光源５からの光に対する各プリズム３２の向きが異なる。そこで以下では、入射面３ｂとプリズム３２について説明する。
【００３９】
この変形例では、導光板３００には、第１の光源４と対向する入射面３ａが形成された側壁と対向する側の側壁に、第２の光源５と対向する入射面３ｂが形成される。この変形例でも、入射面３ｂは、第２の光源５から入射する光の指向性を高めるようコリメートレンズとして動作するように、第２の光源５へ向けて凸面状に形成されてもよい。
【００４０】
導光板３００の背面側に位置する拡散面３ｃには、上記の実施形態と同様に、第１の光源４からの光を第１の液晶パネル２へ向けて反射する複数の第１のプリズム３１と、第２の光源５からの光を第１の液晶パネル２へ向けて反射する複数の第２のプリズム３２とが形成される。
【００４１】
複数の第２のプリズム３２による反射光が出射面３ｄからパターン３３をなして出射するように、複数の第２のプリズム３２は、パターン３３に沿って所定のピッチで千鳥足状に配置される。なお、複数の第２のプリズム３２は、パターン３３に沿って所定のピッチで格子状に配置されてもよい。そして反射面３２ａが第２の光源５を向くように、複数の第２のプリズム３２のそれぞれは配置される。この変形例では、第１の光源４と第２の光源５とは、それぞれ、互いに対向するように配置されている。したがって、第１のプリズム３１の反射面３１ａと第２のプリズム３２の反射面３２ａも、拡散面３ｃと平行な面において互いに１８０°回転している。なお、この例では、複数の第１のプリズム３１のそれぞれが、第２の光源５からの光を出射面３ｄへ向けて反射しないように、複数の第１のプリズム３１のそれぞれについての第２の光源５と対向する側の面は、例えば、拡散面３ｃに対して７０°〜９０°をなすように形成される。同様に、複数の第２のプリズム３２のそれぞれが、第１の光源４からの光を出射面３ｄへ向けて反射しないように、複数の第２のプリズム３２のそれぞれについての第１の光源４と対向する側の面は、例えば、拡散面３ｃに対して７０°〜９０°をなすように形成される。
【００４２】
この変形例でも、表示装置は、上記の実施形態と同様に、第１の光源４と第２の光源５の点灯／消灯の切替により、観察者が視認可能な表示内容を切り替えることができる。
【００４３】
またこの変形例では、拡散面３ｃ全体に対して所定のピッチで格子状または千鳥足状に複数のプリズムが設けられ、そのうち、パターン３３に沿って配置されたプリズムが、第１のプリズム３１と第２のプリズム３２の両方として機能するように形成され、他のプリズムが、第１のプリズム３１としてのみ機能するように形成されてもよい。
【００４４】
図７（ａ）は、第１のプリズム３１としてのみ機能するプリズム４１の側面図であり、図７（ｂ）は、第１のプリズム３１と第２のプリズム３２の両方として機能するプリズム４２の側面図である。
【００４５】
プリズム４１の第１の光源４と対向する側の面は、拡散面３ｃに対して、導光板３へ入射した第１の光源４からの光を全反射させて、出射面３ｄへ向ける角度（例えば、４０°〜５０°）をなす反射面４１ａとして形成される。一方、プリズム４１の第２の光源５と対向する側の面は、導光板３へ入射した第２の光源５からの光が出射面３ｄ側へ向かわないように、例えば、拡散面３ｃに対して７０°〜９０°をなすように形成される。
【００４６】
これに対して、プリズム４２の第１の光源４と対向する側の面と、第２の光源５と対向する側の面の両方とも、反射面として機能するように、拡散面３ｃに対して、導光板３へ入射した各光源からの光を出射面３ｄへ向ける角度となるように形成される。
【００４７】
この変形例では、パターンが形成される部分のプリズムの配置密度とパターンが形成されない部分のプリズムの配置密度とを略等しくすることができる。そのため、第１の光源４及び第２の光源５を消灯して、第２の液晶パネル６に表示された映像を導光板及び第１の液晶パネルと通して観察者に見せる場合に、そのパターンが形成された部分とパターン画形成されていない部分とで、映像の見え方が異なることを抑制できる。
【００４８】
さらに他の変形例によれば、導光板は、２通り以上のパターンが形成されてもよい。この場合には、表示装置は、導光板に形成されたパターンごとの光源と、第１の液晶パネルの表示領域全体を照明するための光源とを有していることが好ましい。
【００４９】
図８は、この変形例による導光板と各光源の配置を示す、導光板の概略正面図である。この変形例では、導光板３０１には、３個のパターン３３１〜３３３が形成されている。そして導光板３０１の周囲には、４個の光源８０１〜８０４が配置されている。すなわち、光源８０１は、導光板３０１の側壁の一つに形成された入射面３１１と対向するように配置され、光源８０２は、入射面３１１と対向する側壁に形成された入射面３１２と対向するように配置される。さらに、光源８０３は、入射面３１１と直交する導光板３０１の側壁の一つに形成された入射面３１３と対向するように配置され、光源８０４は、入射面３１３と対向する側壁に形成された入射面３１４と対向するように配置される。
【００５０】
光源８０１から発して入射面３１１から導光板３０１内へ入射した光により、第１の液晶パネル２の表示領域全体を照明するために、光源８０１と対向する反射面を有する複数のプリズム３２１が、導光板３０１の背面側に形成される拡散面全体にわたって所定のピッチで格子状に配置されている。また、プリズム３２１のうち、パターン３３１に沿って配置されたものは、光源８０２からの光を第１の液晶パネル側へ向けて反射するように、光源４０２と対向する反射面を有する。
【００５１】
さらに、拡散面には、入射面３１３から入射した、光源８０３からの光を反射して、出射面からパターン３３２をなして出射させるように、パターン３３２に沿って、光源８０３と対向する反射面を持つ複数のプリズム３２２が所定のピッチで千鳥足状に配置されている。さらにまた、拡散面には、入射面３１４から入射した、光源８０４からの光を反射して、出射面からパターン３３３をなして出射させるように、パターン３３３に沿って、光源８０４と対向する反射面を持つ複数のプリズム３２３が所定のピッチで千鳥足状に配置されている。
【００５２】
この変形例では、制御部が、各光源の点灯／消灯を切り替えることにより、第１の液晶パネルに表示された映像、または第２の液晶パネルに表示された映像に重ね合わせるパターンを切り替えることができる。そのため、この変形例による表示装置は、演出効果をより高めることができる。
【００５３】
さらに他の変形例によれば、表示装置は、第２の液晶パネルの代わりに、他のディスプレイ、例えば、有機ＥＬディスプレイを有してもよい。あるいは、第２の液晶パネルの代わりに、立体映像を投影できる立体映像投影装置を有してもよい。表示装置は、そのような立体映像投影装置として、例えば、レンチキュラー方式を利用するもの、インテグラルフォトグラフィ―方式によるもの、あるいは、ホログラム方式によるものを用いることができる。この場合、立体映像装置は、例えば、導光板及び第１の液晶パネルを通して、第１の液晶パネルよりも観察者側に立体映像を投影することが好ましい。これにより、表示装置は、立体映像の投影により、臨場感を向上させて、演出効果をより高めることができる。
【００５４】
上記の実施形態または変形例による表示装置は、弾球遊技機または回胴遊技機といった遊技機に搭載されてもよい。
図９は、上記の実施形態または変形例による表示装置を有する弾球遊技機を遊技者（観察者）側から見た、その弾球遊技機の概略斜視図である。備えた弾球遊技機１００の概略斜視図である。図９に示すように、弾球遊技機１００は、上部から中央部の大部分の領域に設けられ、遊技機本体である遊技盤１０１と、遊技盤１０１の下方に配設された球受け部１０２と、ハンドルを備えた操作部１０３と、遊技盤１０１の略中央に設けられた表示装置１０４とを有する。
【００５５】
また弾球遊技機１００は、遊技の演出のために、遊技盤１０１の前面において遊技盤１０１の下方に配置された固定役物部１０５と、遊技盤１０１と固定役物部１０５との間に配置された可動役物部１０６とを有する。また遊技盤１０１の側方にはレール１０７が配設されている。また遊技盤１０１上には多数の障害釘（図示せず）及び少なくとも一つの入賞装置１０８が設けられている。
【００５６】
操作部１０３は、遊技者の操作によるハンドルの回動量に応じて図示しない発射装置より所定の力で遊技球を発射する。発射された遊技球は、レール１０７に沿って上方へ移動し、多数の障害釘の間を落下する。そして遊技球が何れかの入賞装置１０８に入ったことを、図示しないセンサにより検知すると、遊技盤１０１の背面に設けられた主制御回路（図示せず）は、遊技球が入った入賞装置１０８に応じた所定個の遊技球を玉払い出し装置（図示せず）を介して球受け部１０２へ払い出す。さらに主制御回路は、遊技盤１０１の背面に設けられた演出用CPU（図示せず）を介して表示装置１０４を駆動する。
【００５７】
表示装置１０４は、上記の実施形態または変形例による表示装置の一例であり、第１の液晶パネルの正面側が遊技者へ向くように遊技盤１０１に取り付けられる。そして表示装置１０４の制御部は、遊技の状態に応じた、演出用CPUからの制御信号に応じて、表示装置１０４の各表示パネルに様々な映像を表示させたり、各光源の点灯及び消灯を制御する。
【００５８】
このように、当業者は、本発明の範囲内で、実施される形態に合わせて様々な変更を行うことができる。
【符号の説明】
【００５９】
１    表示装置
２    第１の液晶パネル
３    導光板
３ａ、３ｂ    入射面
３ｃ    拡散面
３ｄ    出射面
３１    第１のプリズム
３２    第２のプリズム
３３    パターン
４    第１の光源
５    第２の光源
６    第２の液晶パネル
７    制御部
３００、３０１    導光板
３３１〜３３３    パターン
３１１〜３１４    入射面
３２１〜３２３    プリズム
８０１〜８０４    光源
１００    弾球遊技機
１０１    遊技盤
１０２    球受け部
１０３    操作部
１０４    表示装置
１０５    固定役物部
１０６    可動役物部
１０７    レール
１０８    入賞装置
【図１】
0006435974.tif 000002
【図２】
0006435974.tif 000003
【図３】
0006435974.tif 000004
【図４】
0006435974.tif 000005
【図５】
0006435974.tif 000006
【図６】
0006435974.tif 000007
【図７】
0006435974.tif 000008
【図８】
0006435974.tif 000009
【図９】
0006435974.tif 000010